(57)【特許請求の範囲】
【請求項１】
データ保持体と、専用端末と、第１センタと、無線通信端末と、上記第１センタに接続された第２センタとを有し、
上記データ保持体は、少なくとも使用者を識別する情報および上記データ保持体のＩＤを含むデータを記憶保持する記憶部を含み、
上記専用端末は、少なくとも、第１通信網を介して上記第１センタとデータ通信を行う第１通信部、および、上記データ保持体と接触状態または非接触状態によってデータの授受を行うインタフェース部とを含み、上記データ保持体の決済処理に用いられ、
上記第１センタは、上記第１通信網を介して上記専用端末とデータ通信を行い、上記データ保持体を用いた決済が行われるときに、上記専用端末が上記データ保持体から読みだした上記使用者を識別する情報および上記データ保持体のＩＤを含むデータを含む取引開始情報を上記専用端末から受信すると上記第２センタに上記データ保持体のＩＤとともに認証応答確認要求を送信し、上記第２センタから上記認証応答確認要求に対する応答信号を受信すると上記第１通信網を介して上記専用端末から入力した上記データ保持体の上記使用者を識別する情報を含むデータに基づいて決済のための所定の処理を行い、少なくとも当該処理データを保持し、その結果を上記第１通信網を介して上記専用端末に送信する決済情報処理部を含み、
上記無線通信端末は、上記データ保持体を用いた決済処理を行う使用者が保持しており、少なくとも、上記第２通信網を介して上記第２センタとデータ通信を行う第２通信部、および、当該第２通信部が上記第２センタからのダイヤル呼び出しを受信すると、上記ダイヤル呼び出しに対する応答信号および当該無線通信端末の端末識別ＩＤを、上記第２通信部を制御して上記第２通信網を介して上記第２センタに送信する制御部、を含み、
上記第２センタは、上記第１センタから上記認証応答確認要求を受信すると、あらかじめ登録した上記データ保持体のＩＤに対応する端末ＩＤを確認して、当該確認された端末ＩＤの無線通信端末に上記第２通信網を介してダイヤル呼び出しを行い、上記第２通信網を介して上記無線通信端末からダイヤル呼び出しに対する応答信号およびその端末識別ＩＤを受信すると、当該受信した端末識別ＩＤとあらかじめ登録されている端末識別ＩＤとを照合し、合致したときに上記第２通信網を介して上記無線通信端末から受信した上記ダイヤル呼び出しに対する応答信号を上記第１センタに供給する情報アクセス処理部を少なくとも含む、
情報提供システム。
【請求項２】
上記無線通信端末の使用可能領域を予め登録しておき、
上記第２センタは、上記無線通信端末の位置情報が上記使用可能領域にあるとき、上記応答信号を上記第１センタへ出力することを制御する、
請求項１記載の情報提供システム。
【請求項３】
上記第１センタは、
上記データ保持体のデータの内容情報を監視して保持し、
上記第２センタから内容情報読み出し要求を受け取ると、上記保持している内容情報を上記第２センタに提供し、
上記第２センタは、
上記第２通信網を介して上記無線通信端末から内容情報リクエストおよび端末識別ＩＤを受けて当該端末識別ＩＤの照合を行い、
上記第１センタに対して上記端末識別ＩＤと対応する識別ＩＤのデータ保持体の内容情報の上記内容情報読み出し要求を出力し、
当該内容情報が上記第１センタから供給されると上記第２通信網を介して上記無線通信端末に送信し、
上記無線通信端末は、
少なくとも表示部をさらに含み、
当該無線通信端末の上記制御部は、上記第２通信部により上記内容情報リクエストおよび上記端末識別ＩＤを上記第２通信網を介して上記第２センタに送信し、上記第２通信網を介して上記第２センタから送信された上記データ保持体の内容情報を受信すると、当該内容情報を上記表示部に表示する
請求項１記載の情報提供システム。
【発明の詳細な説明】
【０００１】
【発明の属する技術分野】
本発明は、たとえば商取引等に用いられるＩＣカード等の識別カード使用者を識別する個人情報等を含むデータを、決済センタ等の管理センタと更新して決済や情報の更新等を行う情報提供システム、記録媒体および通信端末に関するものである。
【０００２】
【従来の技術】
近年、ＰＯＳ（Ｐｏｉｎｔ  ｏｆ  Ｓａｌｅｓ）端末や自動販売機等の、サービスや物品との代金の授受（商取引）を行う機器が普及している。
しかし、これらの機器は、現金処理が前提に構成されていることから、業者等は、釣り銭の準備や現金合わせ、防犯等の日常の管理を行わなければならず、煩雑な手間を要している。
【０００３】
そこで、これらの商取引の分野においては、たとえば使用者を識別する個人情報や取引のためのデータを記憶あるいは所定の処理を施すＩＣモジュールを搭載し、決済機能やポイント、電子マネー等の機能を持つＩＣカードが広く用いられるようになってきている。
【０００４】
このＩＣカードを用いた商取引では、電子データのやりとりだけで決済等を行え、上述した現金処理の煩雑な手間が省けるという利点がある。
【０００５】
ＩＣカード等では、たとえば送受信機能の備えた専用のリーダ／ライタを介してデータの書き込み、消去、更新等が行われる。
【０００６】
【発明が解決しようとする課題】
ところで、上述したようなＩＣカードの使用者は、ＩＣカードのデータ内容を確認するためには、特別なビューワ（ＰＯＳ等を含む）を利用する必要がある。そして、ビューワが手元にない場合には、ＩＣカードのデータ内容を知りたくとも、内容を参照し、確認することができない。
電子マネーでは、専用ビューワも存在するが、その端末コストも事業者もしくはユーザが負担する必要がある。
また、ＩＣカードの内容を知るだけのために、普段は必要もないものを持ち歩かなければならなず、煩雑である。
【０００７】
また、ＩＣカードを利用して店頭で決済を行う場合、ユーザの認証のため、ＰＯＳ等にＰＩＮを入力するためのテンキーが必要となる場合がある。
しかし、店頭のカウンター上等に置いてあるテンキーは、回りにいる他人から見られるおそれがある。
同様に、テンキーデバイスとレジスタ・ＰＣ等の間に何らかの装置を接続してユーザが入力した数値情報が盗まれるおそれがある。
【０００８】
本発明は、かかる事情に鑑みてなされたものであり、その第１の目的は、特別なビューワ等の専用装置を用いることなく、また普段は必要もない専用装置を持ち歩かなくとも、容易にＩＣカード等のデータ保持体のデータの内容を確認することができる情報提供システム、記録媒体および通信端末を提供することにある。
【０００９】
また、本発明の第２の目的は、所定の決済箇所で、認証情報等を覗き見されたり盗まれたりすることを防ぎ、不正使用を防止でき、安全性高く決済を行うことができる情報提供システム、記録媒体および通信端末を提供することにある。
【００１０】
【課題を解決するための手段】
本発明によれば、
データ保持体と、専用端末と、第１センタと、無線通信端末と、上記第１センタに接続された第２センタと、を有し、
上記データ保持体は、少なくとも使用者を識別する情報および上記データ保持体のＩＤを含むデータを記憶保持する記憶部を含み、
上記専用端末は、少なくとも、第１通信網を介して上記第１センタとデータ通信を行う第１通信部、および、上記データ保持体と接触状態または非接触状態によってデータの授受を行うインタフェース部とを含み、上記データ保持体の決済処理に用いられ、
上記第１センタは、上記第１通信網を介して上記専用端末とデータ通信を行い、上記データ保持体を用いた決済が行われるときに、上記専用端末が上記データ保持体から読みだした上記使用者を識別する情報および上記データ保持体のＩＤを含むデータを含む取引開始情報を上記専用端末から受信すると上記第２センタに上記データ保持体のＩＤとともに認証応答確認要求を送信し、上記第２センタから上記認証応答確認要求に対する応答信号を受信すると上記第１通信網を介して上記専用端末から入力した上記データ保持体の上記使用者を識別する情報を含むデータに基づいて決済のための所定の処理を行い、少なくとも当該処理データを保持し、その結果を上記第１通信網を介して上記専用端末に送信する決済情報処理部を含み、
上記無線通信端末は、上記データ保持体を用いた決済処理を行う使用者が保持しており、少なくとも、上記第２通信網を介して上記第２センタとデータ通信を行う第２通信部、および、当該第２通信部が上記第２センタからのダイヤル呼び出しを受信すると、上記ダイヤル呼び出しに対する応答信号および当該無線通信端末の端末識別ＩＤを、上記第２通信部を制御して上記第２通信網を介して上記第２センタに送信する制御部、を含み、
上記第２センタは、上記第１センタから上記認証応答確認要求を受信すると、あらかじめ登録した上記データ保持体のＩＤに対応する端末ＩＤを確認して、当該確認された端末ＩＤの無線通信端末に上記第２通信網を介してダイヤル呼び出しを行い、上記第２通信網を介して上記無線通信端末からダイヤル呼び出しに対する応答信号およびその端末識別ＩＤを受信すると、当該受信した端末識別ＩＤとあらかじめ登録されている端末識別ＩＤとを照合し、合致したときに上記第２通信網を介して上記無線通信端末から受信した上記ダイヤル呼び出しに対する応答信号を上記第１センタに供給する情報アクセス処理部を少なくとも含む、
情報提供システムが提供される。
【００１８】
また、本発明では、上記第１センタは、取引開始情報に加えて上記データ保持体の識別ＩＤを受け、当該識別ＩＤの照合を行って、肯定的な照合結果が得られると、上記第２センタに対して認証応答確認要求を出す。
【００１９】
また、本発明では、上記通信端末は、上記応答信号に加えて端末識別ＩＤを送信し、上記第２センタは、受信した端末識別ＩＤとあらかじめ登録されている端末ＩＤとを照合し、合致したときに受信した応答信号を上記第１センタに出力する。
【００２０】
上記第２センタは、通信端末の位置情報に基づいて応答信号の第１センタへの出力を制御する。
【００２１】
また、本発明では、上記第１センタは、データ保持体のデータの内容情報を監視して保持し、内容情報読み出し要求を受け取ると保持している内容情報を要求先に提供し、上記第２センタは、内容情報リクエストを受けると、上記第１センタに対して内容情報読み出し要求を出力して上記データ保持体の内容情報を要求し、内容情報が供給されると上記通信網に送信し、上記通信端末は、少なくも表示部をさらに含み、通信部により上記内容情報リクエストを上記通信網を介して上記第２センタに送信し、通信網を介して上記第２センタから送信された上記データ保持体の内容情報を受信すると、当該内容情報を上記表示部に表示する。
【００２６】
また、本願発明の記録媒体は、少なくとも取引開始情報を受けると、認証応答確認供給を出す第１手順と、認証応答確認要求を受けると、あらかじめ登録した少なくとも使用者を識別する個人情報を含むデータを保持可能なデータ保持体の識別ＩＤに対応する通信端末を確認して、認証のために当該通信端末を呼び出す第２手順と、認証のための呼び出しを受けて通信端末から送信された応答信号を受信する第３手順と、応答信号を受けると入力したデータ保持体のデータに基づいて所定の処理を行い、少なくとも処理データを保持する第４手順とをコンピュータに実行させるプログラムを記録している。
【００２７】
また、本発明においては、上記第１手順では、取引開始情報に加えて上記データ保持体の識別ＩＤを受け、当該識別ＩＤの照合を行って、肯定的な照合結果が得られると、上記認証応答確認要求を出す処理をコンピュータに実行させるプログラムを記録している。
【００２８】
また、本発明においては、上記第３手順では、上記応答信号に加えて端末識別ＩＤを送信し、上記第４手順では、受信した端末識別ＩＤとあらかじめ登録されている端末ＩＤとを照合し、合致したときに応答信号を受けて入力したデータ保持体のデータに基づいて所定の処理を行い、少なくとも処理データを保持する処理をコンピュータに実行させるプログラムを記録している。
【００２９】
また、本発明においては、上記第４手順では、通信端末の位置情報を確認し、あらかじめ登録された位置に通信端末があると判断した場合に、応答信号を受けて入力したデータ保持体のデータに基づいて所定の処理を行い、少なくとも処理データを保持する処理をコンピュータに実行させるプログラムを記録している。
また、本発明の通信端末は、通信網を介して通信を行う通信部と、操作部と、表示部と、音声出力部と、上記通信部、上記表示部、および、上記音声出力部を制御する制御部と、を有し、上記制御部は、データ保持体の認識ＩＤに応じて第２センタから送信された応答要求を上記通信部が受信すると上記音声出力部を制御して上記応答要求を報知する音声出力を行わせ、上記応答要求を報知する音声出力に対して上記操作部に操作が行われたとき応答信号および自らを示す端末ＩＤを上記通信部から送信して上記第２センタに上記データ保持体が保持する内容情報に対して所定の処理を行わせ、上記操作部に上記データ保持体が保持する内容情報を要求する操作がなされたとき上記内容情報の要求信号および上記端末ＩＤを上記通信部から上記第２センタへ送信させ、上記第２センタから上記所定の処理がなされた上記データ保持体の内容情報を上記通信部が受信すると上記表示部に当該受信した内容情報を示す表示を行わせる。
【００３０】
本発明によれば、第１センタにおいて、少なくとも使用者を識別する個人情報を含むデータを保持可能なデータ保持体のデータの内容情報が監視されて保持される。
そして、たとえば携帯電話等の通信端末から内容情報リクエストが送信される。
この内容情報リクエストは通信網を介して第２センタで受信される。
第２センタにおいては、内容情報リクエストを受けると、内容情報読み出し要求が第１センタに出される。これにおり第１センタから第２センタにデータ保持体の内容情報が供給される。
そして、第２センタにおいては、得られた上記データ保持体の内容情報が通信端末に送信され、通信端末においては、データ保持体の内容情報が表示部に表示される。
【００３１】
また、本発明によれば、第１センタにおいて、少なくとも取引開始情報が受信されると、第２センタに対して認証応答確認要求が出される。
第２センタでは、認証応答確認要求を受けると、あらかじめ登録した少なくとも使用者を識別する個人情報を含むデータを保持可能なデータ保持体の識別ＩＤに対応する通信端末が確認されて、認証のために当該通信端末が呼び出される。
通信端末では、認証のための呼び出しを受けて、応答信号が送信される。
そして、この応答信号が第２センタでたとえば所定の照合処理後に、第１センタに供給される。
第１センタでは、応答信号を受けて、供給されてデータ保持体のデータに基づいて所定の処理が行され、処理データ等が更新等されて保持される。
【００３２】
【発明の実施の形態】
第１実施形態
図１は、本発明に係る情報提供システムの第１の実施形態を示すシステム構成図である。
【００３３】
本情報提供システム１０は、ＩＣカード１１、ＰＯＳやリーダ／ライタ、あるいは自動販売機等の専用端末１２、携帯通信端末２０、ＰＣ通信端末３０、第２センタとしての情報提供センタ４０、第１センタとしての決済センタ５０、決済ネットワーク６０、基地局７０、携帯電話ネットワーク８０、およびインターネット９０により構成されている。
【００３４】
ＩＣカード１１は、たとえば図２に示すように、主としてインターフェイス部（Ｉ／Ｆ）１１１、メモリ部１１２、および制御部１１３により構成されている。
インタフェース部１１１は、制御部１１３と外部装置である専用端末１２とのデータの授受（通信処理）を接触あるいは非接触で行う。
【００３５】
メモリ部１１２は、たとえば不揮発性メモリにより構成され、制御部１１３の制御の下、ＩＣカード１１の所持者の認証番号、その所持者が持つ口座や口座が存在する銀行に関する情報、さらにＰＯＳやリーダ／ライタ、あるいは自動販売機等の専用端末１２を介して物品の商取引を行った度毎に、物品の販売業者の口座番号に関する情報、購入品目、購入した物品の金額、購入日付け、時間等を含む未決済情報や取引完了情報を記憶する。
【００３６】
制御部１１３は、たとえばＣＰＵ１１３１、ＲＯＭ１１３２、ＲＡＭ１１３３、および演算部１１３４を含み、ＲＯＭ１１３２に格納されたアプリケーションプログラムや、メモリ部１１２、ＲＡＭ１１３３に記憶されたデータを読み出して、認証処理や決済処理、あるいは暗号化復号化処理を行う。
【００３７】
専用端末１２は、上述したように、ＰＯＳやリーダ／ライタ、あるいは自動販売機等により構成され、接触式あるいは非接触式により、ＩＣカード１１との間でたとえば暗号化されているデータの通信処理を行い、また、図示しない送受信回路により決済ネットワーク６０を介して決済センタ５０との間で決済データ等の送受信を、たとえば無線で行う。
【００３８】
携帯通信端末２０は、たとえば携帯電話により構成され、図３および図４に示すように、本体ケース２０１と、通信部２０２と、音声部２０３と、表示部２０４と、操作部２０５と、リクエストボタン２０６と、制御回路２０７とを有している。
【００３９】
通信部２０２は、アンテナ２０２１、および送受信回路２０２２により構成されている。
送受信回路２０２２は、電波を利用した無線通信で行うために、制御回路２０７で暗号化された音声情報や端末ＩＤ等の各種情報を変調してアンテナ２０２１により基地局７０に送信し、また、アンテナ２０２１を介して受信したＩＣカード１１の内容情報や音声情報等の各種情報を復調して制御回路２０７に出力する。
【００４０】
音声部２０３は、音声処理回路２０３１、マイクロフォン２０３２、およびスピーカ２０３３により構成されている。
音声処理回路２０３１は、通話機能のための音声入力を行うマイクロフォン２０３２と音声出力を行うスピーカ２０３３が接続され、マイクロフォン２０３２により入力した音声に対して所定の処理を施して制御回路２０７に供給し、制御回路２０７により供給された音声情報に所定の処理を施してスピーカ２０３３から出力させる。
【００４１】
表示部２０４は、液晶デバイス等により構成され、情報センタ４０から送信されたＩＣカード１１の内容情報や通話機能のために入力された電話番号等を表示する。
【００４２】
操作部２０５は、通話機能のために電話番号を入力したり、所定の動作指示を入力するためのキーボードにより構成されている。
【００４３】
リクエストボタン２０６は、決済センタ５０に登録されているＩＣカード１１の所持者（登録者）が現在のＩＣカード１１に記憶されている履歴情報や残高等の情報を、表示部２０４に表示させ、携帯通信端末（携帯電話）２０をいわゆるビューワとして利用する場合に使用される。
【００４４】
制御回路２０７は、通信端末２０の全体の制御を行い、たとえば送受信回路２０２２で復調された各種情報に対して復号化処理を行い、また基地局７０、ネットワーク８０を介して情報センタ４０に送信する各種情報を暗号化処理を行ったり、音声処理、表示処理等を行う。
なお、制御回路２０７は、リクエストボタン２０６が操作されると、内容情報リクエスト信号とともに携帯の識別情報（端末ＩＤ）を送信情報として暗号化して送受信回路２０２２に供給する。
【００４５】
ＰＣ通信端末３０は、携帯式あるいはオフィスや家庭等に設けられる通信機能を有するパーソナルコンピュータにより構成され、インターネット９０を介して情報センタ４０に接続される。
ＰＣ通信端末３０は、周知のパーソナルコンピュータと同様に、表示部（たとえば液晶デバイス）、操作部（キーボード）等を有することはもとより、上述した携帯通信端末２０と同様に、決済センタ５０に登録されているＩＣカード１１の所持者（登録者）が現在のＩＣカード１１に記憶されている履歴情報や残高等の情報を、表示部２０４に表示させ、携帯通信端末（携帯電話）２０をいわゆるビューワとして利用するリクエストボタンあるいはそれに相当する機能を有している。
ＰＣ通信端末３０は、このリクエスト機能を他は周知のパーソナルコンピュータと同様であることから、ここではその詳細な構成、機能についての説明は省略する。
【００４６】
情報センタ４０は、携帯電話ネットワーク８０、インターネット９０、および決済センタ５０に接続され、携帯電話ネットワーク８０を介して携帯通信端末２０によるＩＣカードの内容情報リクエスト信号および端末ＩＤ、またはインターネット９０を介してＰＣ通信端末３０によるＩＣカードの内容情報リクエスト信号および端末ＩＤを受けると、端末ＩＤの照合を行い、肯定的な照合結果が得られると端末ＩＤに対応してあらかじめ登録されているＩＣカードのＩＤを得、当該ＩＤに対応するＩＣカードの内容情報を決済センタ５０に要求し、決済センタ５０から内容情報が得られると表示情報として暗号化して、要求のあった携帯通信端末２０またはＰＣ通信端末３０に携帯電話ネットワーク８０またはインターネット９０を介して送信する。
【００４７】
情報センタ４０は、たとえば図５に示すように、情報アクセス要求処理部４０１、表示情報生成部４０２を含み、さらに、情報アクセス要求処理部４０１には内部に設けられた、あるいは外部に設けられたカードデータベース（カードＤＢ）４０３が接続されている。
【００４８】
情報アクセス要求処理部４０１は、携帯通信端末２０またはＰＣ通信端末３０によるＩＣカードの内容情報リクエスト信号および端末ＩＤを受けると、復号化してカードデータベース４０３をアクセスして端末ＩＤの照合を行い、肯定的な照合結果が得られると端末ＩＤに対応してあらかじめ登録されているＩＣカードのＩＤを得、当該ＩＤに対応するＩＣカードの内容情報を決済センタ５０に要求し、決済センタ５０から内容情報が得られるとこの情報を表示情報生成部４０２に供給する。
【００４９】
表示情報生成部４０２は、情報アクセス要求処理部４０１により得られたＩＣカードの内容情報を表示情報として暗号化して、要求のあった携帯通信端末２０またはＰＣ通信端末３０に携帯電話ネットワーク８０またはインターネット９０を介して送信する。
【００５０】
カードデータベース４０３は、たとえば図６に示すように、端末ＩＤと対応するカードＩＤが登録されている。
【００５１】
決済センタ５０は、決済ネットワーク６０および情報センタ４０に接続され、専用端末１２、決済ネットワーク６０を介して送信されたＩＣカード１１の決済データを受けて、所定の決済処理を行い、そのＩＣカード１１の履歴や決済により生じた残高情報等とを更新し、更新情報等を決済ネットワーク６０を介して専用端末１２に送信する。
また、決済センタ５０は、情報センタ４０によりＩＤで指定されたＩＣカードの履歴や残高情報等からなる内容情報のアクセス要求を受けると、該当するＩＣカードの内容情報を取得して情報センタ４０に供給する。
【００５２】
決済センタ５０は、図５に示すように、決済ネットワーク６０によるＩＣカード１１の決済データに対する所定の決済処理を行い、そのＩＣカード１１の履歴や決済により生じた残高情報等とを更新し、更新情報等を決済ネットワーク６０を介して専用端末１２に送信し、また、情報センタ４０の情報アクセス要求処理部４０１による内容情報のアクセス要求を受けると、該当するＩＣカードの内容情報を取得して情報センタ４０に供給する決済情報処理部５０１を有している。
また、決済情報処理部５０１は、内部に設けられた、あるいは外部に設けられたカード別履歴データベース５０２およびカード別残高情報（内容情報）データベース５０３が接続されており、こらのデータベース５０２、５０３の内容の更新する。
【００５３】
次に、上記構成におけるＩＣカードの内容情報の表示動作について、図７のフローチャートに関連付けて説明する。
なお、ここでは携帯通信端末（携帯電話）で内容情報を表示させる場合を例に説明する。
【００５４】
まず、携帯通信端末２０を使用している使用者が、自分が所持し各店頭で使用しているＩＣカード１１の内容情報を確認したい場合には、携帯通信端末２０に設けられているリクエストボタン２０６を操作する（ＳＴ１）。
これにより、携帯通信端末２０の制御回路２０７により内容情報リクエスト信号とともに携帯の端末ＩＤが送信情報として生成され、生成情報が暗号化されて送受信回路２０２２に供給される。
そして、送受信回路２０２２からアンテナ２０２１を介して内容情報リクエスト信号および携帯の端末ＩＤ情報を含む情報が無線で基地局７０に送信される（ＳＴ２）。
この送信情報は、携帯電話ネットワーク８０を介して情報センタ４０の情報アクセス要求処理部４０１で受信される（ＳＴ３）。
【００５５】
情報アクセス要求処理部４０１では、携帯通信端末２０によるＩＣカードの内容情報リクエスト信号および端末ＩＤを受けると、復号化処理が行われた後、カードデータベース４０３がアクセスされ端末ＩＤの照合が行われる（ＳＴ４）。
そして、ステップＳＴ４で肯定的な照合結果が得られると端末ＩＤに対応してあらかじめ登録されているＩＣカードのＩＤが得られ、当該ＩＤに対応するＩＣカードの内容情報の要求が決済センタ５０に対して出される。
【００５６】
決済センタ５０では、決済情報処理部５０１において、情報センタ４０の情報アクセス要求処理部４０１による内容情報のアクセス要求を受けると、データベース５０２，５０３がアクセスされて該当するＩＣカードの内容情報が取得されて情報センタ４０に供給される。
【００５７】
情報センタ４０においては、決済センタ５０から内容情報が得られると情報アクセス要求処理部４０１を介して表示情報生成部４０２に供給される。
表示情報生成部４０２では、情報アクセス要求処理部４０１により得られたＩＣカードの内容情報が表示情報として暗号化されて、要求のあった携帯通信端末２０に携帯電話ネットワーク８０を介して送信される（ＳＴ６）。
【００５８】
携帯通信端末２０では、アンテナ２０２１を介して表示情報が受信され、送受信回路２０２２で復調処理が行われて制御回路２０７に供給される。
制御回路２０７では、復調された表示情報が復号化されて、表示部２０４に表示される（ＳＴ７）。
使用者は、この携帯通信端末２０の表示部２０４に表示された情報により現在のＩＣカード１１の残高や履歴等を確認する。
【００５９】
以上説明したように、本第１の実施形態によれば、リクエストボタン２０６が操作されると、内容情報リクエスト信号とともに携帯の識別情報（端末ＩＤ）を送信情報として暗号化して送信し、また、受信した表示情報を表示部２０４に表示する通信端末２０，３０と、携帯電話ネットワーク８０を介して携帯通信端末２０によるＩＣカードの内容情報リクエスト信号および端末ＩＤ、またはインターネット９０を介してＰＣ通信端末３０によるＩＣカードの内容情報リクエスト信号および端末ＩＤを受けると、端末ＩＤの照合を行い、肯定的な照合結果が得られると端末ＩＤに対応してあらかじめ登録されているＩＣカードのＩＤを得、当該ＩＤに対応するＩＣカードの内容情報を決済センタ５０に要求し、決済センタ５０から内容情報が得られると表示情報として暗号化して、要求のあった携帯通信端末２０またはＰＣ通信端末３０に携帯電話ネットワーク８０またはインターネット９０を介して送信する情報センタ４０と、専用端末１２、決済ネットワーク６０を介して送信されたＩＣカード１１の決済データを受けて、所定の決済処理を行い、そのＩＣカード１１の履歴や決済により生じた残高情報等とを更新し、更新情報等を決済ネットワーク６０を介して専用端末１２に送信し、また、情報センタ４０によりＩＤで指定されたＩＣカードの履歴や残高情報等からなる内容情報のアクセス要求を受けると、該当するＩＣカードの内容情報を取得して情報センタ４０に供給する決済センタ５０とを設けたので、特別なビューワ等の専用装置を用いることなく、また普段は必要もない専用装置を持ち歩かなくとも、容易にＩＣカード等のデータ保持体のデータの内容を確認することができる路利点がある。
【００６０】
第２実施形態
図８は、本発明に係る情報提供システムの第２の実施形態を示すシステム構成図である。
【００６１】
本第２の実施形態が上述した第１の実施形態と異なる点は、ＩＣカード１１を利用して店頭で決済を行う場合、ユーザの認証のため、店頭のカウンター上等に置いてあるテンキーを用いずに、ユーザ自身が携帯している携帯通信端末２０Ａを呼び出して確認応答を行い、確認応答に応じて決済センタ５０Ａ側で認証を行い、肯定的な結果が得られた場合に通常の決済処理を行うようにしたことにある。
以下、第１の実施形態と異なる機能部分について説明する。
【００６２】
本第２の実施形態では、携帯通信端末２０Ａに、図９に示すように、図４に示す構成に加えて応答ボタン２０８を設けている。
携帯通信端末２０Ａは、認証のための呼び出しを受けて使用者が応答ボタン２０８を操作すると、制御回路２０７Ａは応答信号と端末ＩＤを暗号化して送受信回路２０２２に送信させる。
【００６３】
また、情報センタ４０Ａは、決済センタ５０から使用されるＩＣカード１１のＩＤとともに、認証応答確認要求を受けると、データベース５０３に登録されているカードＩＤに対応した端末ＩＤを確認して、当該端末に対して自動ダイヤルし、携帯通信端末２０Ａからの応答信号および端末ＩＤを受けると復号化して、端末ＩＤの照合を行い、肯定的な照合結果が得られると応答信号を決済センタ５０Ａに供給する。
【００６４】
決済センタ５０Ａは、専用端末１２、決済ネットワーク６０を介して店頭からの、カードＩＤ、取引開始情報や売り上げデータ等の取引開始情報を受けると、カードＩＤの照合を行って、肯定的な照合結果が得られると、情報センタ４０ＡにＩＣカード１１のＩＤとともに、認証応答確認要求を出し、情報センタ４０Ａから応答信号を受けると、所定の決済処理やデータベースの更新処理を行い、かつ処理後の情報を暗号化して決済ネットワークを介して、専用端末１２、さらにはＩＣカード１１に送信する。
【００６５】
次に、上記構成においてＩＣカード１１を利用して店頭で決済を行う場合の動作について、図１０に関連付けて説明する。
【００６６】
まず、商品の購入を希望するＩＣカード１１の使用者は、ＩＣカード１１を店頭で提示する（ＳＴ１１）。
ＩＣカード１１の提示を受けた店側は、ＩＣカード１１を専用端末１２に接触式あるいは非接触式でアクセスさせて、売り上げデータ、カードＩＤ等の情報が決済ネットワーク６０を介して決済センタ５０Ａに送信される（ＳＴ１２）。
【００６７】
決済ネットワーク５０Ａにおいては、専用端末１２、決済ネットワーク６０を介して店頭からの、カードＩＤ、取引開始情報や売り上げデータ等の取引開始情報を受けると、カードＩＤの照合が行われる（ＳＴ１３，ＳＴ１４）。
そして、肯定的な照合結果が得られる、情報センタ４０ＡにＩＣカード１１のＩＤとともに、認証応答確認要求が出される（ＳＴ１５）。
【００６８】
情報センタ４０Ａでは、決済センタ５０から使用されるＩＣカード１１のＩＤとともに、認証応答確認要求を受けると、データベース５０３に登録されているカードＩＤに対応した端末ＩＤを確認して、携帯通信端末２０Ａの番号が取得され（ＳＴ１６，ＳＴ１７）、当該端末に対して自動ダイヤルにより応答要求が行われる（ＳＴ１８）。
【００６９】
携帯通信端末２０Ａでは、認証のための呼び出しを受けると、呼び出し音に応じて、使用者が応答ボタン２０８を操作する（ＳＴ１９）。
これにより、制御回路２０７Ａにより応答信号と端末ＩＤが暗号化され、送受信回路２０２２、アンテナ２０２１を介して基地局７０に送信される。
基地局７０に到達した応答信号と端末ＩＤはネットワーク８０を介して情報センタ４０Ａで受信される（ＳＴ２０）。
【００７０】
応答信号と端末ＩＤを受けた情報センタ４０Ａでは、応答信号および端末ＩＤが復号化されて端末ＩＤの照合が行われる。そして、肯定的な照合結果が得られると応答信号が決済センタ５０Ａに供給される（ＳＴ２１）。
【００７１】
応答信号を受けた決済センタ５０Ａでは、所定の決済処理やデータベースの更新処理が行され（ＳＴ２２）、これらのＥＲＡＮＯ処理が終了すると（ＳＴ２３）、処理号情報が完了信号として決済ネットワーク６０介して専用端末１２に送信される（ＳＴ２４）。
専用端末１２で受信された完了信号は復調されて、ＩＣカード１１に供給される。
そして、ＩＣカード１１においては制御部の制御の下、メモリ部へのカードデータ更新処理が行われる（ＳＴ２５）。
【００７２】
本第２の実施形態によれば、認証のための呼び出しを受けて使用者が応答ボタン２０８を操作すると、制御回路２０７Ａは応答信号と端末ＩＤを暗号化して送受信回路２０２２に送信させる携帯通信端末と、決済センタ５０から使用されるＩＣカード１１のＩＤとともに、認証応答確認要求を受けると、データベース５０３に登録されているカードＩＤに対応した端末ＩＤを確認して、当該端末に対して自動ダイヤルし、携帯通信端末２０Ａからの応答信号および端末ＩＤを受けると復号化して、端末ＩＤの照合を行い、肯定的な照合結果が得られると応答信号を決済センタ５０Ａに供給する情報センタ４０Ａと、専用端末１２、決済ネットワーク６０を介して店頭からの、カードＩＤ、取引開始情報や売り上げデータ等の取引開始情報を受けると、カードＩＤの照合を行って、肯定的な照合結果が得られると、情報センタ４０ＡにＩＣカード１１のＩＤとともに、認証応答確認要求を出し、情報センタ４０Ａから応答信号を受けると、所定の決済処理やデータベースの更新処理を行い、かつ処理後の情報を暗号化して決済ネットワークを介して、専用端末１２、さらにはＩＣカード１１に送信する決済センタ５０Ａとを設けたので、所定の決済箇所で、認証情報等を覗き見されたり盗まれたりすることを防止でき、不正使用を防止でき、安全性高く決済を行うことができる利点がある。
【００７３】
また、本第２の実施形態では、第１の実施形態の内容情報確認機能を携帯通信端末２０Ａは有していることから、上述した第１の実施形態の効果をも得ることができる。
【００７４】
なお、この第１の実施形態の内容情報確認機能を持たない携帯通信端末２０Ａを構成することも可能であることはいうまでもない。
【００７５】
また、本第２の実施形態においては、認証確認を携帯通信端末からの応答信号および端末ＩＤに基づてい行うようにしたが、本発明はこれに限定されるものではなく、たとえば携帯電話に係る位置情報を確認情報として用いることも可能である。
この場合、その携帯通信端末の認証確認端末としての使用可能領域をあらかじめ特定して登録しておき、通話（応答）時に得られる位置情報により特定領域にあると判断した場合にのみ認証確認を行う等、種々の態様が可能となる。
【００７６】
第３実施形態
図１１は、本発明に係る情報提供システムのの第３の実施形態を示すシステム構成図である。
【００７７】
本第３の実施形態では、ＩＣカード自体を店頭等に設置される専用端末を介して取引を行うのではなく、ユーザ（ＩＣカードの所持者）側、たとえばその自宅等で決済を行うように構成している。
【００７８】
そのため、本第３の実施形態では、ＩＣカードをユーザのみならず、商品販売側（店側）もＩＣカード（以下、店用ＩＣカード）を所持し、商品販売者は、この店用ＩＣカードをユーザの自宅等を持参し、ユーザ側が所有する専用端末である、たとえば携帯型リーダ／ライタを用いて店認証を行うとともに、通常のユーザ用ＩＣカードを用いて通常の取引を行うように構成している。
【００７９】
本情報提供システム１００は、ユーザ用ＩＣカード１０１、店用ＩＣカード１０２、携帯式専用端末１０３、ＰＯＳやリーダ／ライタ、あるいは自動販売機等の専用端末１０４、携帯通信端末１１０、決済センタ１２０、決済ネットワーク１３０、基地局１４０、および携帯電話ネットワーク１５０により構成されている。
【００８０】
ユーザ用ＩＣカード１０１、および店用ＩＣカード１０２は、基本的には同様の構成を有し、１は、たとえば図１２に示すように、主としてインターフェイス部（Ｉ／Ｆ）１１１、メモリ部１１２、および制御部１１３により構成されている。
インタフェース部１１１は、制御部１１３と外部装置である専用端末１０３とのデータの授受（通信処理）を接触あるいは非接触で行う。
【００８１】
メモリ部１１２は、たとえば不揮発性メモリにより構成され、ユーザ用ＩＣカード１０１の場合、制御部１１３の制御の下、ＩＣカード１０１の所持者の認証番号、その所持者が持つ口座や口座が存在する銀行に関する情報、さらに携帯式専用端末１０３や店頭に設置されるＰＯＳやリーダ／ライタ、あるいは自動販売機等の専用端末１０４を介して物品の商取引を行った度毎に、物品の販売業者の口座番号に関する情報、購入品目、購入した物品の金額、購入日付け、時間等を含む未決済情報や取引完了情報を記憶する。
同様に、メモリ部１１２は、店用ＩＣカード１０２の場合には、ＩＣカード１０２の所持者の認証番号、店番号、その所持者が持つ口座や口座が存在する銀行に関する情報、さらに携帯式専用端末１０３や店頭に設置されるＰＯＳやリーダ／ライタ、あるいは自動販売機等の専用端末１０４を介して物品の商取引を行った度毎に、物品の販売業者の口座番号に関する情報、購入品目、購入した物品の金額、購入日付け、時間等を含む未決済情報や取引完了情報を記憶する。
【００８２】
制御部１１３は、たとえばＣＰＵ１１３１、ＲＯＭ１１３２、ＲＡＭ１１３３、および演算部１１３４を含み、ＲＯＭ１１３２に格納されたアプリケーションプログラムや、メモリ部１１２、ＲＡＭ１１３３に記憶されたデータを読み出して、認証処理や決済処理、あるいは暗号化復号化処理を行う。
【００８３】
携帯用専用端末１０３は、接触式あるいは非接触式により、ＩＣカード１０１，１０２との間でデータの通信処理を行うとともに、携帯通信端末１１０とのデータの通信処理を接触式あるいは非接触式により行う。
なお、本第３の実施形態では、携帯用専用端末１０３は、携帯通信端末１１０の外付けとして設ける場合を例に示しているが、たとえば携帯通信端末１１０自体に内蔵させるように構成することも可能である。
【００８４】
携帯通信端末１１０は、たとえば携帯電話により構成され、図１３および図１４に示すように、本体ケース１１０１と、通信部１１０２と、音声部１１０３と、表示部１１０４と、操作部１１０５と、携帯用専用端末１０３とのインタフェース部（Ｉ／Ｆ）１１０６と、制御回路１１０７とを有している。
【００８５】
通信部１１０２は、アンテナ１１０２１、および送受信回路１１０２２により構成されている。
送受信回路１１０２２は、電波を利用した無線通信で行うために、制御回路１１０７で暗号化された音声情報や端末ＩＤ等、あるいは携帯用専用端末１０３からのユーザ用ＩＣカード１０１や店用ＩＣカード１０２のＩＤ等の各種情報をの各種情報を変調してアンテナ１１０２１により基地局１３０に送信し、また、アンテナ１１０２１を介して受信したＩＣカード１０１，１０２の内容情報や音声情報等の各種情報を復調して制御回路１１０７に出力する。
【００８６】
音声部１１０３は、音声処理回路１１０３１、マイクロフォン１１０３２、およびスピーカ１１０３３により構成されている。
音声処理回路１１０３１は、通話機能のための音声入力を行うマイクロフォン１１０３２と音声出力を行うスピーカ１１０３３が接続され、マイクロフォン１１０３２により入力した音声に対して所定の処理を施して制御回路１１０７に供給し、制御回路１１０７により供給された音声情報に所定の処理を施してスピーカ１１０３３から出力させる。
【００８７】
表示部１１０４は、液晶デバイス等により構成され、決済センタ１２０から送信されたＩＣカード１１の内容情報や通話機能のために入力された電話番号等を表示する。
【００８８】
操作部１１０５は、通話機能のために電話番号を入力したり、所定の動作指示を入力するためのキーボードにより構成されている。
【００８９】
インタフェース部１１０６は、制御回路１１０７と外部装置である専用端末１０３とのデータの授受（通信処理）を接触あるいは非接触で行う。
【００９０】
制御回路１１０７は、通信端末１１０の全体の制御を行い、たとえば送受信回路１１０２２で復調された各種情報に対して復号化処理を行い、また基地局１３０、ネットワーク１５０を介して情報センタ４０に送信する各種情報を暗号化処理を行ったり、音声処理、表示処理等を行う。
【００９１】
決済センタ１２０は、携帯通信端末１１０、基地局１３０、および携帯電話ネットワーク１５０を介して店頭と異なるたとえば携帯通信端末１１０からの、あるいは専用端末１０４、決済ネットワーク１４０を介して店頭からの、カードＩＤ、取引開始情報や売り上げデータ等の取引開始情報を受けると、店用ＩＣカード１０２、ユーザ用ＩＣカード１０のカードＩＤの照合を行って、肯定的な照合結果が得られると、所定の決済処理やデータベースの更新処理を行い、かつ処理後の情報を暗号化して携帯電話ネットワーク１５０または決済ネットワーク１４０に送信する。
具体的には、決済センタ１２０は、家庭での決済が行われる場合には、まず店用ＩＣカード１０２のＩＤ照合を行い、肯定的な照合結果が得られると、取引処理続行信号を暗号化して携帯電話ネットワーク１５０を介して店頭と異なるたとえば携帯通信端末１１０の送信する。
そして、次に、ユーザ用ＩＣカード１０１のＩＤを受けるとカードＩＤの照合を行って、肯定的な照合結果が得られると、所定の決済処理やデータベースの更新処理を行い、かつ処理後の情報を暗号化して携帯電話ネットワーク１５０に送信する。
【００９２】
次に、上記構成において店用ＩＣカード１０２およびユーザ用ＩＣカード１０１を利用し個人の家庭で決済を行う場合の動作について、図１５のフローチャートに関連付けて説明する。
【００９３】
商品の購入を希望するユーザ用ＩＣカード１０１の使用者宅を、商品販売側の販売者が店用ＩＣカード１０２を持参して訪問する（ＳＴ１０１）。
販売者は、使用者に対して携帯通信端末１１０および専用端末１０３の提供を要求する（ＳＴ１０２）。
【００９４】
携帯通信端末１１０および専用端末１０３の提供を受けた販売者は、まず、店用ＩＣカード１０２を専用端末１０３に接触式あるいは非接触式でアクセスさせる。
これにより、店用ＩＣカード１０２のカードＩＤを含む各種情報が携帯通信端末１１０のインタフェース部１１０６を介して制御回路１１０７に入力される。制御回路１１０７では、店用ＩＣカード１０２のカードＩＤを含む各種情報が暗号化されて送受信回路１１０２２に供給される。
そして、送受信回路１１０２２からアンテナ１１０２１を介してカードＩＤを含む各種情報が無線で基地局１３０に送信される（ＳＴ１０３）。
この送信情報は、携帯電話ネットワーク１５０を介して決済センタ１２０で受信される（ＳＴ１０４）。
【００９５】
決済センタ１２０では、店用ＩＣカード１０２のＩＤ照合が行われ（ＳＴ１０５）、肯定的な照合結果が得られると、取引処理続行信号が暗号化され携帯電話ネットワーク１５０を介して店頭と異なるたとえば携帯通信端末１１０の送信される（ＳＴ１０６）。
【００９６】
携帯通信端末１１０では、アンテナ１１０２１を介して取引処理続行信号が受信され、送受信回路１１０２２で復調処理が行われて制御回路１１０７に供給される。
制御回路１１０７では、復調された情報が復号化されて、取引を続行可能である旨が表示部１１０４に表示される（ＳＴ１０７）。
また、取引処理続行信号はインタフェース部１１０６を介して専用端末１０３に送信される。
専用端末１０３で受信された完了信号は復調されて、ＩＣカード１０２に供給される。
そして、ＩＣカード１０２においては制御部の制御の下、メモリ部へのカードデータの更新処理が行われる。
【００９７】
販売者は、この携帯通信端末１１０の表示部１１０４に表示された情報により取引が続行可能である旨を確認して、次に、ユーザ用ＩＣカード１０１を専用端末１０３に接触式あるいは非接触式でアクセスさせる。
これにより、ユーザ用ＩＣカード１０１のカードＩＤや売り上げデータ等の取引情報を含む各種情報が携帯通信端末１１０のインタフェース部１１０６を介して制御回路１１０７に入力される。制御回路１１０７では、店用ＩＣカード１０２のカードＩＤを含む各種情報が暗号化されて送受信回路１１０２２に供給される。
そして、送受信回路１１０２２からアンテナ１１０２１を介してカードＩＤを含む各種情報が無線で基地局１３０に送信される（ＳＴ１０８）。
この送信情報は、携帯電話ネットワーク１５０を介して決済センタ１２０で受信される（ＳＴ１０９）。
【００９８】
決済センタ１２０では、ユーザ用ＩＣカード１０１のＩＤ照合が行われ（ＳＴ１１０）、肯定的な照合結果が得られると、所定の決済処理やデータベースの更新処理が行され（ＳＴ１１１）、これらの処理が終了すると、処理号情報が完了信号として暗号化され携帯電話ネットワーク１５０を介して店頭と異なるたとえば携帯通信端末１１０の送信される（ＳＴ１１２）。
携帯通信端末１１０では、アンテナ１１０２１を介して完了信号が受信され、送受信回路１１０２２で復調処理が行われて制御回路１１０７に供給される。
制御回路１１０７では、復調された情報が復号化されて、取引が完了した旨が表示部１１０４に表示される。
また、完了信号はインタフェース部１１０６を介して専用端末１０３に送信される。
専用端末１０３で受信された完了信号は復調されて、ＩＣカード１０１に供給される。
そして、ＩＣカード１０１においては制御部の制御の下、メモリ部へのカードデータ更新処理が行われる。
【００９９】
以上説明したように、本第３の実施形態によれば、ＩＣカードをユーザのみならず、商品販売側（店側）も店用ＩＣカード１０２を所持し、商品販売者は、この店用ＩＣカード１０２をユーザの自宅等を持参し、ユーザ側が所有する専用端末である、たとえば携帯型リーダ／ライタを用いて店認証を行うとともに、通常のユーザ用ＩＣカード１０１を用いて通常の取引を行うように構成したので、店頭に専用端末が不要で、設置コストを節約でき、また、不正使用を防止でき、安全性高く決済を行うことができる利点がある。
【０１００】
なお、本第３の実施形態においては、認証確認を携帯通信端末からのＩＤに基づいて行うようにしたが、本発明はこれに限定されるものではなく、たとえば携帯電話に係る位置情報を確認情報として用いることも可能である。
この場合、その携帯通信端末の認証確認端末としての使用可能領域をあらかじめ特定して登録しておき、通話（応答）時に得られる位置情報により特定領域にあると判断した場合にのみ認証確認を行う等、種々の態様が可能となる。
【０１０１】
なお、上述した第１〜第３の実施形態における情報センタや決済センタで処理するステップを実行するためのプログラム等は、コンピュータで読み出し可能な記録媒体、たとえばハードディスクや光ディスク、半導体記憶装置等に記憶され、センタに設置されるコンピュータにより読み出されて実行される。
【０１０２】
【発明の効果】
以上説明したように、本発明によれば、特別なビューワ等の専用装置を用いることなく、また普段は必要もない専用装置を持ち歩かなくとも、容易にＩＣカード等のデータ保持体のデータの内容を確認することができる利点がある。
【０１０３】
また、本発明によれば、所定の決済箇所で、認証情報等を覗き見されたり盗まれたりすることを防止でき、不正使用を防止でき、安全性高く決済を行うことができる。
【図面の簡単な説明】
【図１】本発明に係る情報提供システムの第１の実施形態を示すシステム構成図である。
【図２】ＩＣカードの機能ブロックを示す図である。
【図３】第１の実施形態に係る携帯通信端末（携帯電話）の外観を示す図である。
【図４】第１の実施形態に係る携帯通信端末（携帯電話）の機能ブロックを示す図である。
【図５】本発明に係る情報センタおよび決済センタの要部構成を示すブロック図である。
【図６】カードデータベースの登録データ例を示す図である。
【図７】第１の実施形態の動作を説明するためのフローチャートである。
【図８】本発明に係る情報提供システムの第２の実施形態を示すシステム構成図である。
【図９】第２の実施形態に係る携帯通信端末（携帯電話）の機能ブロックを示す図である。
【図１０】第２の実施形態の動作を説明するための図である。
【図１１】本発明に係る情報提供システムの第３の実施形態を示すシステム構成図である。
【図１２】第３の実施形態に係るＩＣカードの機能ブロックを示す図である。
【図１３】第３の実施形態に係る携帯通信端末（携帯電話）の外観を示す図である。
【図１４】第３の実施形態に係る携帯通信端末（携帯電話）の機能ブロックを示す図である。
【図１５】第３の実施形態の動作を説明するためのフローチャートである。
【符号の説明】
１０，１０Ａ…情報提供システム、１１…ＩＣカード、１２…専用端末、２０，２０Ａ…携帯通信端末、３０…ＰＣ通信端末、４０，４０Ａ…決済センタ、５０，５０Ａ…情報提供センタ、６０…決済ネットワーク、７０…基地局、８０…携帯電話ネットワーク、９０…インターネット、１００…情報提供システム、１０１…ユーザ用ＩＣカード、１０２…店用ＩＣカード、１０３…携帯式専用端末１０３、１０４…専用端末、１１０…携帯通信端末、１２０…決済センタ、１３０…決済ネットワーク、１４０…基地局、１５０…携帯電話ネットワーク。
【図１】
0005020427.tif 000002
【図２】
0005020427.tif 000003
【図３】
0005020427.tif 000004
【図４】
0005020427.tif 000005
【図５】
0005020427.tif 000006
【図６】
0005020427.tif 000007
【図７】
0005020427.tif 000008
【図８】
0005020427.tif 000009
【図９】
0005020427.tif 000010
【図１０】
0005020427.tif 000011
【図１１】
0005020427.tif 000012
【図１２】
0005020427.tif 000013
【図１３】
0005020427.tif 000014
【図１４】
0005020427.tif 000015
【図１５】
0005020427.tif 000016